(57)【要約】      （修正有）【課題】構造が簡単で、操作が容易である昇降構造及びこれを用いたファンを提供する。【解決手段】昇降構造は、ファンベース及びファンベースに上下に移動可能に装着された伸縮管２を備え、ファンベースには、マザーボードに接続されているモータ３が固定されており、モータ３の出力端には、リニアボルト４が装着され、リニアボルト４の一端は、伸縮管２まで延伸し、伸縮管２には、リニアボルト４を貫通させるための貫通孔５が設けられ、貫通孔５は、リニアボルト４とネジ山を介して互いに螺合され、リニアボルト４がモータ３により駆動されて回転すると、伸縮管２は連動して昇降し、ファンベースと伸縮管２には、互いに協働する方向ガイド構造が設けられ、方向ガイド構造は、伸縮管２を縦向きに運動させるように限定する。【選択図】図３
0003214232.tif 000002
【実用新案登録請求の範囲】
【請求項１】
ファンベース及び前記ファンベースに上下に移動可能に装着された伸縮管を備える昇降構造であって、
前記ファンベースには、マザーボードに接続されているモータが固定されており、前記モータの出力端には、リニアボルトが装着され、前記リニアボルトの一端は、前記伸縮管まで延伸し、前記伸縮管には、前記リニアボルトを貫通させるための貫通孔が設けられ、前記貫通孔は、前記リニアボルトとネジ山を介して互いに螺合され、
前記リニアボルトが前記モータにより駆動されて回転すると、前記伸縮管は連動して昇降し、前記ファンベースと前記伸縮管には、互いに協働する方向ガイド構造が設けられ、前記方向ガイド構造は、前記伸縮管を縦向きに運動させるように限定することを特徴とするファンの昇降構造。
【請求項２】
前記ファンベースは、底板とスリーブを含み、前記スリーブは、前記底板に対して垂直に延伸するように前記底板の上面に装着され、前記伸縮管は、前記スリーブの内腔に収容され、前記モータは、前記底板に装着され、前記モータの出力端は、前記スリーブの内腔に対応し、前記リニアボルトは、前記スリーブの内腔を経由して前記伸縮管の内部まで延伸し、前記貫通孔は、前記伸縮管の下端に設けられることを特徴とする請求項１に記載のファンの昇降構造。
【請求項３】
前記方向ガイド構造は、前記スリーブに設けられた縦向きのスライドレールと、前記伸縮管に設けられた縦向きのシュートと、を含むことを特徴とする請求項２に記載の昇降構造。
【請求項４】
前記伸縮管は、前記スリーブの内部に穿設され、前記スライドレールは、前記スリーブの頂端の内側に形成され、前記シュートは、前記伸縮管の外面に形成されることを特徴とする請求項３に記載のファンの昇降構造。
【請求項５】
前記モータの出力端は、伝動パイプを介して前記リニアボルトと固定連接され、前記出力端は、前記伝動パイプの一端の中に穿設されるように前記伝動パイプと連接され、前記リニアボルトは、前記伝動パイプの他端の中に穿設されるように前記伝動パイプと連接され、前記出力端と前記伝動パイプとの連接部位及び前記リニアボルトと前記伝動パイプとの連接部位にネジを締めることによって、前記リニアボルトの取り付けを完成することを特徴とする請求項１に記載のファンの昇降構造。
【請求項６】
前記マザーボードには、モータリモコン回路が装着されることを特徴とする請求項１に記載のファンの昇降構造。
【請求項７】
請求項１〜６の何れか一項に記載の昇降構造を備えるファンであって、前記伸縮管の頂部には、ファンカバー及びファンブレードが装着されていることを特徴とするファン。
【考案の詳細な説明】
【技術分野】
【０００１】
本考案は、ファンに関し、特にファンの昇降構造に関するものである。
【背景技術】
【０００２】
床置きファンは、夏に暑さを和らげるためによく使われる生活用品である。床置きファンは、利用上の柔軟性がより大きく、ユーザにより適当な位置まで運ばれて使用されることができる。しかも、床置きファンの伸縮管の高さは、調節可能である。一般的な伸縮管の昇降構造は、下記のとおりである。
【０００３】
単軸スクリュー構造の場合、中軸を所望の高さに引き上げるか又は下降させるようにした後、単軸スクリューを締めることにより、中軸の位置を固定して、ファンの高さを調節する。ノブ型固定構造の場合、中軸を取り囲むように設けられたナット型ノブを締める又は緩めることによって、ファンの高さを調節する。バネ仕掛け構造の場合、ファンのベースに撥条を固定してから、ファンの中軸を撥条に係止させて、ボタン及び係合スロットを介して、ファンの昇降をコントロールする。このような構造を利用してファンの高さを調節する時に、ユーザは、ファンに近づいて、手で床置きファンの伸縮管を掴んで、一定の力を入れて、それを伸縮させる必要がある。つまり、従来の昇降構造は、煩わしく、不便であり、それを改善する必要がある。
【考案の概要】
【考案が解決しようとする課題】
【０００４】
本考案は、操作が容易であるファンの昇降構造及びこれを用いたファンを提供することを目的とする。
【課題を解決するための手段】
【０００５】
上記の課題を解決するために、本考案に係るファンの昇降構造は、ファンベース及び前記ファンベースに上下に移動可能に装着された伸縮管を備え、前記ファンベースには、マザーボードに接続されているモータが固定されており、前記モータの出力端には、リニアボルトが装着され、前記リニアボルトの一端は、前記伸縮管まで延伸し、前記伸縮管には、前記リニアボルトを貫通させるための貫通孔が設けられ、前記貫通孔は、前記リニアボルトとネジ山を介して互いに螺合され、前記リニアボルトが前記モータにより駆動されて回転すると、前記伸縮管は連動して昇降し、前記ファンベースと前記伸縮管には、互いに協働する方向ガイド構造が設けられ、前記方向ガイド構造は、前記伸縮管を縦向きに運動させるように限定する。
【０００６】
さらに、新型のファンの昇降構造において、前記ファンベースは、底板とスリーブを含み、前記スリーブは、前記底板に対して垂直に延伸するように前記底板の上面に装着され、前記伸縮管は、前記スリーブの内腔に収容され、前記モータは、前記底板に装着され、前記モータの出力端は、前記スリーブの内腔に対応し、前記リニアボルトは、前記スリーブの内腔を経由して前記伸縮管の内部まで延伸し、前記貫通孔は、前記伸縮管の下端に設けられることとする。
【０００７】
さらに、新型のファンの昇降構造において、前記方向ガイド構造は、前記スリーブに設けられた縦向きのスライドレールと、前記伸縮管に設けられた縦向きのシュートと、を含むこととする。
【０００８】
さらに、新型のファンの昇降構造において、前記伸縮管は、前記スリーブの内部に穿設され、前記スライドレールは、前記スリーブの頂端の内側に形成され、前記シュートは、前記伸縮管の外面に形成されることとする。
【０００９】
さらに、前記モーターの出力端は、伝動パイプを介して前記リニアボルトと固定連接され、前記出力端は、前記伝動パイプの一端の中に穿設されるように前記伝動パイプと連接され、前記リニアボルトは、前記伝動パイプの他端の中に穿設されるように前記伝動パイプと連接され、前記出力端と前記伝動パイプとの連接部位及び前記リニアボルトと前記伝動パイプとの連接部位にネジを締めることによって、前記リニアボルトの取り付けを完成することとする。
【００１０】
さらに、前記マザーボードには、モータに向けるリモート制御回路が装着されることとする。
【００１１】
また、本考案に係るファンは、以上に述べたいずれかの昇降機構を備え、前記伸縮管の頂部には、ファンカバー及びファンブレードが装着されている。
【考案の効果】
【００１２】
本考案の昇降構造を備えるファンは、少なくとも以下の有利な効果を有する。モータの起動をコントロールして、ファンの昇降を遠隔操作することができる。
【図面の簡単な説明】
【００１３】
【図１】本考案に係る昇降構造の斜視図である。
【図２】図１におけるＡ部の拡大図である。
【図３】本考案の昇降構造の断面図である。
【図４】本考案に係るリニアボルトの組立過程を示す図である。
【考案を実施するための形態】
【００１４】
以下、具体的な実施例及び図面を参照しながら、本考案の構成及び利点などを詳細に説明する。
【００１５】
図１〜４に示すように、本考案に係る新型のファンの昇降構造は、ファンベース１を備える。ファンベース１には、伸縮管２及びマザーボードに接続されたモータ３が装着されている。モータ３の出力端には、リニアボルト４が装着されている。リニアボルト４の他端は、伸縮管２まで伸びる。伸縮管２には、リニアボルト４を貫通させるための貫通孔５が設けられている。貫通孔５は、リニアボルト４とネジ山を介して互いに螺合される。リニアボルト４がモータ３により駆動されて回転すると、伸縮管２は連動して昇降する。さらに、伸縮管２の運動方向を縦様にするために、ファンベース１と伸縮管２には、互いに協働する方向ガイド構造が設けられる。伸縮管２の頂部において、ファンカバー及びファンブレードを装着することにより、ファンを形成する。
【００１６】
マザーボードを介してモータ３の回転（順方向回転及び逆方向回転を含む）を実現することは、従来から常用の技術である。好ましくは、前記マザーボードには、リモート制御回路が装着される。リニアボルト４がモータ３により駆動されて回転される場合、伸縮管２における貫通孔５がリニアボルト４とネジ山を介して螺合されるため、伸縮管２はリニアボルト４にねじ込まれたナットに該当する。また、このナット（伸縮管２）とファンベース１との間には、縦向きのガイド構造がさらに設けられている。そこで、リニアボルト４が回転する時に、伸縮管２はリニアボルト４に伴って回転することがなく、前記ガイド構造に沿って垂直に運動する。リニアボルト４の回転方向の異なりによって、伸縮管２は上昇又は下降する。前記ガイド構造とは、機械式動力伝達過程において、機械構造の間の相互運動方向を限定するための構造である。本考案では、縦向きのガイド構造を利用して、伸縮管２がリニアボルト４に従って共に回転することを防止する。このようにして、リニアボルト４の回転により、伸縮管２の昇降動作をもたらすことを確保する。このように構成しない場合には、貫通孔５の中の螺子山とリニアボルト４との間に一定の摩擦力が存在するため、リニアボルト４が回転する時に、ガイド構造により限定されなくなり、伸縮管２全体はリニアボルト４と共に回転してしまい、リニアボルト４と伸縮管２は１つのものとなってしまい、ファンの昇降を達成することができない。 
【００１７】
ファンベース１は、底板１０とスリーブ１１を含む。スリーブ１１は、底板１０に対して垂直に延伸するように底板１０の上面に装着される。伸縮管２は、スリーブ１１の内腔に収容される。モータ３は、固定座３０を介して底板１０に装着される。モータ３の出力端は、スリーブ１１の内腔に対応している。リニアボルト４は、スリーブ１１の内腔を経由して伸縮管２の内部２０まで延伸する。伸縮管２の下端には、貫通孔５が形成されている。昇降過程において、伸縮管２は、スリーブ１１との摩擦力によって、垂直運動時の安定性を確保することができる。さらに、リニアボルト４と貫通孔５との螺合部位が伸縮管２の下端に位置して、低重心化されるので、機械式動力伝達過程における伸縮管２の安定性に寄与する。
【００１８】
方向ガイド構造は、スリーブ１１に設けられた縦向きのスライドレール１００と、伸縮管２に設けられた縦向きのシュート２００と、を含む。一般的には、伸縮管２はスリーブ１１内に穿設され、スライドレール１００はスリーブ１１の頂端の内側に形成され、シュート２００は伸縮管２の外面に形成される。上記縦向きのスライドレール１００とシュート２００は、互いに協力するように組み立てられる。伸縮管２が昇降する時に、スライドレール１００はシュート２００の中でスライド運動する。これにより、リニアボルト４が回転する時に、伸縮管２が縦向きに昇降して運動することを確保できると共に、昇降過程における伸縮管２のバランス及び安定性を確保することもできる。
【００１９】
モータ３の出力端は、伝動パイプ６を介してリニアボルト４と連接固定される。モータ３の出力端は、一般的に軸である。前記出力端は、伝動パイプ６の一端の中に穿設されるように伝動パイプ６と連接される。リニアボルト４の一端は、伝動パイプ６の他端の中に穿設されるように伝動パイプ６と連接される。さらに、前記出力端と伝動パイプ６との連接部位及びリニアボルト４と伝動パイプ６との連接部位にネジを締めることによって、リニアボルト４の取り付けを実現する。本考案は、モータ３によりリニアボルト４を駆動してファンの昇降を実現する上に、従来のリモート制御回路を用いてモータ３の起動をコントロールし、リモコンを介してモータ３を遠距離コントロールして、ファンの使用をさらに便利にさせることができる。
【００２０】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
また、本考案に係るファンは、昇降構造を備え、前記昇降構造は、ファンベース及び前記ファンベースに上下に移動可能に装着された伸縮管を含み、前記ファンベースには、マザーボードに接続されているモータが固定されており、前記モータの出力端には、リニアボルトが装着され、前記リニアボルトの一端は、前記伸縮管まで延伸し、前記伸縮管には、前記リニアボルトを貫通させるための貫通孔が設けられ、前記貫通孔は、前記リニアボルトとネジ山を介して互いに螺合され、前記リニアボルトが前記モータにより駆動されて回転すると、前記伸縮管は連動して昇降し、前記ファンベースと前記伸縮管には、互いに協働する方向ガイド構造が設けられ、前記方向ガイド構造は、前記伸縮管を縦向きに運動させるように限定し、前記伸縮管の頂部には、ファンカバー及びファンブレードが装着されている。
【符号の説明】
【００２１】
１      ファンベース
２      伸縮管
３      モータ
４      リニアボルト
５      貫通孔
６      伝動パイプ
１０    底板
１１    スリーブ
２０    内部
３０    固定座
１００  スライドレール
２００  シュート
【図１】
0003214232.tif 000003
【図２】
0003214232.tif 000004
【図３】
0003214232.tif 000005
【図４】
0003214232.tif 000006